(57)【要約】      （修正有）【課題】省電力状態からの誤復帰を減らすことで消費電力を低減するとともに、作業効率性に優れる画像形成装置及び装置状態移行プログラムを提供する。【解決手段】画像形成装置は、記録紙に画像を形成する画像形成部と、画像形成装置から予め定められた範囲内に存在する人を検出する第１の検出部と、第１の検出部によって検出された人の視線を検出する第２の検出部と、表示部と、制御部と、を備える。画像形成装置が省電力状態である場合に、制御部は、第１の検出部によって人が検出された場合であって、第２の検出部によって、予め定められた方向を向く人の視線が検出された場合に、画像形成装置を省電力状態から復帰させるとともに、表示部に、第２の検出部によって検出された人の視線の方向に応じた予め定められた画面を表示させる。【選択図】図４
2019208184.tif 000002
【特許請求の範囲】
【請求項１】
予め定められた条件を満たした場合に消費電力の少ない省電力状態から復帰する画像形成装置であって、
記録紙に画像を形成する画像形成部と、
前記画像形成装置から予め定められた範囲内に存在する人を検出する第１の検出部と、
前記第１の検出部によって検出された人の視線を検出する第２の検出部と、
表示部と、
制御部と、を備え、
前記画像形成装置が省電力状態である場合に、前記制御部は、前記第１の検出部によって人が検出された場合であって、前記第２の検出部によって、予め定められた方向を向く人の視線が検出された場合に、前記画像形成装置を省電力状態から復帰させるとともに、前記表示部に、前記第２の検出部によって検出された人の視線の方向に応じた予め定められた画面を表示させる、画像形成装置。
【請求項２】
入力される指示を受け付ける操作部をさらに備え、
前記画像形成装置が省電力状態である場合に、前記制御部は、前記第１の検出部によって人が検出された場合であって、前記第２の検出部によって、前記操作部の方向を向く人の視線が検出された場合に、前記画像形成装置を省電力状態から復帰させるとともに、前記表示部に、画像形成装置により実行可能な複数の機能のうちの少なくともいずれか１つを選択するための画面を表示させる、請求項１に記載の画像形成装置。
【請求項３】
原稿の画像を読取る画像読取部をさらに備え、
前記画像形成装置が省電力状態である場合に、前記制御部は、前記第１の検出部によって人が検出された場合であって、前記第２の検出部によって、前記画像読取部の方向を向く人の視線が検出された場合に、前記画像形成装置を省電力状態から復帰させるとともに、前記表示部に、前記画像読取部による原稿の画像を読取る処理に関する設定を行なうための画面を表示させる、請求項１または請求項２に記載の画像形成装置。
【請求項４】
画像が形成された記録紙が排紙される排紙部をさらに備え、
前記画像形成装置が省電力状態である場合に、前記制御部は、前記第１の検出部によって人が検出された場合であって、前記第２の検出部によって、前記排紙部の方向を向く人の視線が検出された場合に、前記画像形成装置の状態を省電力状態のまま維持する、請求項１乃至請求項３のいずれかに記載の画像形成装置。
【請求項５】
前記排紙部に記録紙が存在するか否かを検出する第３の検出部をさらに備え、
前記画像形成装置が省電力状態である場合に、前記制御部は、前記第１の検出部によって人が検出された場合であって、前記第２の検出部によって、前記排紙部の方向を向く人の視線が検出され、かつ、前記第３の検出部によって前記排紙部に記録紙が存在しないことが検出された場合に、前記画像形成装置を省電力状態から復帰させるとともに、前記表示部に、前記画像形成装置において実行された処理の状況を確認するための画面を表示させる、請求項４に記載の画像形成装置。
【請求項６】
画像が形成された記録紙が排紙される排紙部をさらに備え、
前記画像形成装置が省電力状態である場合に、前記制御部は、前記第１の検出部によって人が検出された場合であって、前記第２の検出部によって人の視線が検出されず、かつ、前記第３の検出部によって前記排紙部に記録紙が存在しないことが検出された場合に、前記画像形成装置を省電力状態から復帰させるとともに、前記表示部に、前記画像形成装置において実行された処理の状況を確認するための画面を表示させる、請求項１乃至請求項５のいずれかに記載の画像形成装置。
【請求項７】
記録紙に画像を形成する画像形成部と表示部とを備え、予め定められた条件を満たした場合に消費電力の少ない省電力状態から復帰する画像形成装置を制御するための装置状態移行プログラムであって、
前記画像形成装置が省電力状態である場合に、コンピューターを、
前記画像形成装置から予め定められた範囲内に存在する人を検出する第１の検出部によって人が検出された場合であって、前記第１の検出部によって検出された人の視線を検出する第２の検出部によって、予め定められた方向を向く人の視線が検出された場合に、
前記画像形成装置を省電力状態から復帰させるとともに、前記表示部に、前記第２の検出部によって検出された人の視線の方向に応じた予め定められた画面を表示させるように機能させる、装置状態移行プログラム。
【発明の詳細な説明】
【技術分野】
【０００１】
本発明は、画像形成装置及び装置状態移行プログラムに関し、特に、省電力状態からの復帰処理を実行する画像形成装置及び装置状態移行プログラムに関する。
【背景技術】
【０００２】
人感センサー、視線センサー、及びカメラ等を搭載する画像形成装置が知られている。
【０００３】
例えば、特許文献１には、足元カメラによって撮影された人の足元の画像から人の足の向きを判別し、判別した足の向きに基づいて、画像処理装置に人が向かっているか否かを判別する技術が開示されている。特許文献１にはまた、足元カメラを用いた判別結果に、焦電型の人感センサー及び反射型の人感センサーの検出結果を組み合わせることで、画像処理装置近傍に存在する人が、画像処理装置の利用者か否かを判別する精度を高める技術が開示されている。
【０００４】
特許文献２には、視線検知用カメラによって検知されたユーザーの視線の方向に対象箇所が含まれるか否かを判別し、判別結果に応じて表示する操作内容を変更することで、紙詰まりを解消するための適切な手順をユーザーに示す技術が開示されている。
【先行技術文献】
【特許文献】
【０００５】
【特許文献１】特開２０１５−２３８２号公報
【特許文献２】特開２０１２−１３７５２５号公報
【発明の概要】
【発明が解決しようとする課題】
【０００６】
特許文献１に開示されるような、人感センサーによって人が検出された場合に省電力状態から復帰させる機能を有する画像形成装置においては、画像形成装置の前を人が通過しただけである場合、又は、ユーザーが画像形成済みの記録紙を回収しにきただけの場合等の画像形成装置の使用が予定されていない場合に、画像形成装置を省電力状態から無駄に復帰させてしまうことがある。
【０００７】
特許文献２に開示される画像形成装置では、視線検知用カメラとしてヘッドマウントディスプレイが使用されている。ユーザーは、画像形成装置１を使用する際に視線検知用カメラを装着しなければならないため負担がかかり、作業効率が低下する。
【０００８】
本発明は、上記の事情に鑑みなされたものであり、省電力状態からの誤復帰を減らすことで消費電力を低減するとともに、作業効率性に優れる画像形成装置及び装置状態移行プログラムを提供することを目的とする。
【課題を解決するための手段】
【０００９】
本発明の一局面に係る画像形成装置は、予め定められた条件を満たした場合に消費電力の少ない省電力状態から復帰する画像形成装置であって、記録紙に画像を形成する画像形成部と、画像形成装置から予め定められた範囲内に存在する人を検出する第１の検出部と、第１の検出部によって検出された人の視線を検出する第２の検出部と、表示部と、制御部と、を含む。画像形成装置が省電力状態である場合に、制御部は、第１の検出部によって人が検出された場合であって、第２の検出部によって、予め定められた方向を向く人の視線が検出された場合に、画像形成装置を省電力状態から復帰させるとともに、表示部に、第２の検出部によって検出された人の視線の方向に応じた予め定められた画面を表示させる。
【００１０】
本発明の別の一局面に係る装置状態移行プログラムは、記録紙に画像を形成する画像形成部と表示部とを含み、予め定められた条件を満たした場合に消費電力の少ない省電力状態から復帰する画像形成装置を制御するための装置状態移行プログラムであって、画像形成装置が省電力状態である場合に、コンピューターを、画像形成装置から予め定められた範囲内に存在する人を検出する第１の検出部によって人が検出された場合であって、第１の検出部によって検出された人の視線を検出する第２の検出部によって、予め定められた方向を向く人の視線が検出された場合に、画像形成装置を省電力状態から復帰させるとともに、表示部に、第２の検出部によって検出された人の視線の方向に応じた予め定められた画面を表示させるように機能させる。
【発明の効果】
【００１１】
本発明によれば、第１の検出部によって人が検出された場合であって、第２の検出部によって、予め定められた方向を向く人の視線が検出された場合に、画像形成装置を省電力状態から復帰させる。したがって、画像形成装置の前を人が通過しただけである場合、又は、ユーザーが画像形成済みの記録紙を回収しにきただけの場合等の画像形成装置の使用が予定されていない場合に、画像形成装置を省電力状態から無駄に復帰させてしまうことを防ぐことができる。これによって、第１の検出部によって人が検出されたことのみに基づいて省電力状態から復帰させる場合と比較して、消費電力を低減させることができる。
【００１２】
また、本発明によれば、第２の検出部によって検出された視線の方向に応じた予め定められた画面が表示される。したがって、ユーザーが実行を所望する機能に関する画面を呼び出して表示させる場合と比較して、ユーザーの手間を省くことができ、ユーザーの作業効率をより一層向上させることができる。
【図面の簡単な説明】
【００１３】
【図１】本発明の一実施形態に係る画像形成装置の外観を示す斜視図である。
【図２】本発明の一実施形態に係る画像形成装置の内部構成を示すブロック図である。
【図３】本発明の一実施形態に係る画像形成装置の上部の外観を示す斜視図である。
【図４】本発明の一実施形態に係る省電力モードからの復帰処理を示すフローチャートである。
【図５】本発明の一実施形態に係る省電力モードからの復帰処理を示すフローチャートである。
【図６】本発明の一実施形態に係る省電力モードからの復帰処理を示すフローチャートである。
【図７】ホーム画面の一例を示す図である。
【図８】コピー画面の一例を示す図である。
【図９】ポップアップ画面の一例を示す図である。
【図１０】ジョブ履歴画面の一例を示す図である。
【図１１】送信画面の一例を示す図である。
【発明を実施するための形態】
【００１４】
以下、本発明の一実施形態に係る画像形成装置１について図面を参照して説明する。画像形成装置１は、ファクシミリ機能、コピー機能、プリンター機能、及びスキャナー機能等の複数の機能を兼ね備えた複合機である。
【００１５】
図１は、画像形成装置１の外観を示す斜視図である。図１を参照して、画像形成装置１の筐体７には、画像形成装置１の様々な機能を実現するための複数の機器が収容されている。例えば、筐体７には、画像読取部５、画像形成部１２（図１には図示しない。）、定着部１３（図１には図示しない。）、及び給紙部３０等が収容されている。
【００１６】
画像読取部５は、原稿を搬送する原稿搬送部６と、原稿搬送部６により搬送されてくる原稿又は不図示のコンタクトガラスに載置された原稿を光学的に読み取るスキャナーと、を含むＡＤＦ（Auto Document Feeder）である。画像読取部５は、光照射部により原稿を照射し、その反射光をＣＣＤセンサーで受光することにより、原稿から画像を読み取って画像データを取得する。
【００１７】
画像形成部１２は、感光体ドラム、帯電装置、露光装置、現像装置、及び転写装置を含む。画像形成部１２は、画像読取部５によって取得された画像データ、又は、ネットワーク回線を介して接続されたパーソナルコンピューター及び他のファクシミリ装置等から送られてくる画像データに基づいて、給紙部３０から供給される記録紙にトナー像を形成する。
【００１８】
定着部１３は、画像形成部１２の画像形成処理により表面にトナー像が形成された記録紙を加熱し、熱圧着によりトナー像を記録紙に定着させる定着処理を行う。定着部１３による定着処理を受けた後、画像形成済みの記録紙は排紙部４に排出される。
【００１９】
排紙部４は、排出された画像形成済みの記録紙を載置する排紙トレイ４１と、排紙トレイ４１上に記録紙が存在するか否かを検出する第３の検出部５０（図１には図示せず。）とを含む。第３の検出部５０としては、一般的に使用されるものであればよく特に限定されないが、例えば、光を照射する照射部と記録紙からの反射光を受光する受光部とを含み、受光部で検出された受光量の大きさから記録紙の有無を検出する反射型の光学センサーを使用できる。
【００２０】
給紙部３０は、用紙カセットに収容された記録紙、又は手差しトレイに載置された記録紙を１枚ずつ引出して画像形成部１２へと送り出す。
【００２１】
画像形成装置１は、画像読取部５の近傍であって、画像形成装置１の正面側に操作部４７を備える。操作部４７は、画像形成装置１が実行可能な各種機能に係る処理について、ユーザーによって操作部４７を介して入力された指示を受け付ける。操作部４７は、タッチパネル式の表示部４７３を含む。表示部４７３は、ホーム画面、コピー画面、送信画面、及びジョブ履歴画面等を含む各種画面を表示する。
【００２２】
画像形成装置１の正面側には、画像形成装置１近傍に存在する人を検出する第１の検出部４８が設けられる。第１の検出部４８は、人感センサーである。人感センサーとしては、一般的に使用されるものであればよく特に限定されないが、例えば、赤外線センサーを使用できる。本実施の形態において、第１の検出部４８は、第１の検出部４８によって検出可能な範囲である領域Ｒに存在する人を検出する。
【００２３】
操作部４７はさらに、第１の検出部４８によって検出された人の視線を検出する第２の検出部４９を含む。第２の検出部４９は、視線センサーである。視線センサーとしては、一般的に使用されるものであればよく特に限定されないが、例えば、角膜反射法を用いた非接触型の視線センサーを使用できる。本実施の形態において、第２の検出部４９は、ユーザーの目、具体的には角膜に近赤外線を照射するための光源と、角膜反射を起こす眼球の動きを撮影するためのカメラとを含む。第２の検出部４９は、カメラによって撮影された画像データを、後述する制御部１０に対して出力する。このように、操作部４７が第２の検出部４９を備えているので、視線センサーとしてヘッドマウントディスプレイを使用する場合と比較して、視線センサーの装着に係るユーザーの負担が少なくなるので、ユーザーの作業効率を向上させることができる。
【００２４】
図２は、画像形成装置１の内部構成を示すブロック図である。図２を参照して、画像形成装置１は、制御部１０を含む。制御部１０は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。
【００２５】
制御部１０は、原稿搬送部６、画像読取部５、画像形成部１２、定着部１３、排紙部４、操作部４７、第１の検出部４８、第２の検出部４９、第３の検出部５０、画像処理部３１、画像メモリー３２、ＨＤＤ９２、ファクシミリ通信部７１、及びネットワークインターフェイス部９１等と電気的に接続される。制御部１０は、画像形成装置１の全体制御を司る。より詳細には、制御部１０は、各種コンピュータープログラムを実行することによって、画像形成装置１の各部の動作、及び、ＬＡＮ（Local Area Network）又はネットワークを通じて接続されるパーソナルコンピューター２０等の情報処理装置との通信等の処理を実行する。
【００２６】
画像処理部３１は、画像読取部５によって取得された画像データに対して、必要に応じて画像処理を実行する。
【００２７】
画像メモリー３２は、画像読取部５によって取得された画像データを一時的に記憶する領域を含む。たとえば、画像メモリー３２は、画像形成部１２による画像形成の対象となる画像データを一時的に記憶する。
【００２８】
ＨＤＤ（Hard Disk Drive）９２は、画像読取部５によって読み取られた画像データ等を含む各種データを記憶する大容量の記憶装置である。ＨＤＤ９２はまた、画像形成装置１の動作を実現するための各種コンピュータープログラムを記憶する。本実施の形態において、ＨＤＤ９２は、後述する省電力モードからの復帰処理を実行する装置状態移行プログラムを記憶する。なお、以下に説明する省電力モードからの復帰処理は、装置状態移行プログラムに基づく動作によらず、ハード回路により動作可能に構成されてもよい。
【００２９】
ファクシミリ通信部７１は、公衆回線への接続を行ない、公衆回線を介して画像データの送受信を行なう。
【００３０】
ネットワークインターフェイス部９１は、ＬＡＮ又はネットワークとのインターフェイスをとる。画像形成装置１は、このネットワークインターフェイス部９１を介して、ＬＡＮ又はネットワーク上のパーソナルコンピューター２０等の情報処理装置とデータ通信を行なう。
【００３１】
画像形成装置１の各部には図示しない電源が接続され、この電源から電力が供給されることによって、画像形成装置１の各部が動作する。本実施の形態において、制御部１０は、画像形成装置１の各部への電力供給を制御する。制御部１０は、予め定められた期間画像形成処理が行われない等の予め定められた条件を満たした場合に、画像形成装置１の各部への電力供給を停止又は制限することで、画像形成装置１の状態を消費電力の少ない省電力状態（以下、「省電力モード」という。）に移行させる。制御部１０はまた、操作部４７に対する操作が行なわれる等の予め定められた条件を満たした場合には、省電力モードからの復帰処理を行ない、画像形成装置１の状態を、画像形成装置１における各種機能に係る処理を速やかに実行可能な状態にする。
【００３２】
図３は、画像形成装置１の上部の外観を示す斜視図である。図３を参照して、後述する本実施の形態に係る省電力モードからの復帰処理において、制御部１０は、第２の検出部４９から出力される画像データに基づいて解析を行なうことでユーザーの注視点を算出し、算出した注視点が、領域ａ、領域ｂ、及び領域ｃのうちのいずれの領域に集中したかを判定する。ここで、領域ａ、領域ｂ、及び領域ｃはそれぞれ異なる領域である。領域ａは操作部４７を含む領域であり、領域ｂは排出部４を含む領域であり、領域ｃは原稿搬送部６を含む画像読取部５を含む領域である。例えば、ユーザーの視線が操作部４７の方向を向いている場合、制御部は、注視点が領域ａに集中したと判定する。
【００３３】
［動作］
以下、本実施の形態に係る省電力モードからの復帰処理を実行するために、画像形成装置１で実行される装置状態移行プログラムの制御構造について、画像形成装置１の動作と併せて説明する。図４〜図６は、省電力モードからの復帰処理を示すフローチャートである。本実施の形態に係る装置状態移行プログラムは、画像形成装置１が省電力モードに移行することによって実行される。
【００３４】
画像形成装置１は、電源投入後に予め定められた期間画像形成処理が行なわれず、省電力モードに移行している状態である。省電力モードにおいて、制御部１０は、第１の検出部４８に電力を供給し、画像形成装置１に近づく人を監視している。
【００３５】
図４を参照して、ユーザーが画像形成装置１の正面に近づいて領域Ｒ内に入ると、第１の検出部４８が領域Ｒに存在する人を検出する。制御部１０は、第１の検出部４８によって領域Ｒに存在する人が検出されたと判定し（ステップＳ１００にてＹＥＳ）、第２の検出部４９に電力を供給して第２の検出部４９を起動させる（ステップＳ１０１）。第２の検出部４９の起動後１秒以内に第２の検出部４９が視線を検出すると、制御部１０は、第２の検出部４９の起動後予め定められた期間内（この場合、１秒以内）に第２の検出部４９が視線を検出したと判定し（ステップＳ１０２にてＹＥＳ）、第２の検出部４９から出力される画像データに基づいてユーザーの注視点を算出し、算出した注視点が領域ａに集中したか否かを判定する（ステップＳ１０３）。
（１）ユーザーの視線が最初に操作部４７の方向を向いた場合
ユーザーの視線が最初に操作部４７の方向を向いた場合、制御部１０は、算出した注視点が領域ａに集中したと判定し（ステップＳ１０３にてＹＥＳ）、省電力モードからの復帰処理を実行するとともに、表示部４７３にホーム画面を表示させる（ステップＳ１０４）。
【００３６】
図７は、ホーム画面１０１の一例を示す図である。図７を参照して、ホーム画面１０１は、画像形成装置１により実行可能な複数の機能のうちのいずれかを選択するための画面である。ホーム画面１０１は、ユーザーが所望する機能の選択を入力するための複数のソフトキーを含む。例えば、ホーム画面１０１は、ソフトキーとして、コピー機能を選択するためのキーＫ１、スキャナー機能を選択するためのキーＫ２、ファクシミリ機能を選択するためのキーＫ３等を含む。ユーザーが上記した複数のソフトキーのうちのいずれかを押下すると、制御部１０は、操作部４７に対する入力があったと判定する（ステップＳ１０５にてＹＥＳ）。その後、制御部１０は、表示部４７３に、押下されたキーに対応付けられた機能の各種設定を行なうための画面を表示する。
（１−１）ユーザーの視線が最初に操作部４７の方向を向いた後画像読取部５の方向を向いた場合
ユーザーが、ホーム画面１０１が表示された状態で操作部４７に対する操作を行なわず、ユーザーの視線が操作部４７の方向を向いた後１秒以内に画像読取部５に備えられる原稿搬送部６の方向を向いた場合、制御部１０は、操作部４７に対する入力がないと判定するとともに（ステップＳ１０５にてＮＯ）、注視点が領域ａに集中した後１秒以内に領域ｃに集中したと判定し（ステップＳ１０６にてＹＥＳ）、表示部４７３にコピー画面を表示させる（ステップＳ１０７）。
【００３７】
図８は、コピー画面１０２の一例を示す図である。図８を参照して、コピー画面１０２は、コピー機能の各種設定を行なうための画面である。コピー画面１０２は、画像読取部５による原稿の画像を読取る処理（ここではコピー機能を実行するための処理）に関する各種設定を入力するための複数のソフトキーを含む。例えば、コピー画面１０２は、ソフトキーとして、給紙カセットを選択するためのキーＫ１１、原稿の倍率を設定するためのキーＫ１２、印刷濃度を設定するためのキーＫ１３等を含む。ユーザーが上記した複数のソフトキーのうちのいずれかを押下すると、制御部１０は、選択されたキーに対応付けられた設定を行なうための画面を表示する。
（１−２）ユーザーの視線が最初に操作部４７の方向を向いたまま変化しない場合
ユーザーが、ホーム画面１０１が表示された状態で操作部４７に対する操作を行なわず、ユーザーの視線が操作部４７の方向を向いたまま変化しない場合、制御部１０は、注視点が領域ａに集中した後１秒以内に領域ｃに集中しなかったと判定し（ステップＳ１０６にてＮＯ）、操作部４７に対する入力があるまで待機する。
（２）ユーザーの視線が最初に排出部４の方向を向いた場合
図５を参照して、ユーザーの視線が最初に排出部４の方向を向いた場合、制御部１０は、注視点が領域ａに集中しなかったと判定し（ステップＳ１０３にてＮＯ）、注視点が領域ｂに集中したと判定する（ステップＳ２０１にてＹＥＳ）。
（２−１）排紙部４に記録紙が存在する場合
以下、排出部４の排出トレイには画像形成済みの記録紙が排出されており、ユーザーは排出された記録紙を回収しにきている。排出部４の排出トレイには、画像形成済みの記録紙が存在する。制御部１０は、第３の検出部５０によって排出部４に記録紙が存在することが検出されたと判定する（ステップＳ２０２にてＹＥＳ）。
（２−１−１）ユーザーの視線が最初に排出部４の方向を向いた後操作部４７の方向を向いた場合
ユーザーがさらに画像形成装置１における他の機能の利用を所望し、ユーザーの視線が排出部４の方向を向いた後１秒以内に操作部４７の方向を向いた場合、制御部１０は、注視点が領域ｂに集中した後１秒以内に領域ａに集中したと判定し（ステップＳ２０３にてＹＥＳ）、省電力モードからの復帰処理を実行するとともに、表示部４７３にホーム画面１０１を表示させる（ステップＳ２０４）。
（２−１−２）ユーザーの視線が最初に排出部４の方向を向いた後画像読取部５の方向を向いた場合
ユーザーがさらにコピー機能の利用を所望し、ユーザーの視線が排出部４の方向を向いた後１秒以内に画像読取部５に備えられる原稿搬送部６の方向を向いた場合、制御部１０は、注視点が領域ｂに集中した後１秒以内に領域ａに集中しなかったと判定するとともに（ステップＳ２０３にてＮＯ）、注視点が領域ｂに集中した後１秒以内に領域ｃに集中したと判定し（ステップＳ２０５にてＹＥＳ）、省電力モードからの復帰処理を実行するとともに、表示部４７３にコピー画面１０２を表示させる（ステップＳ２０６）。
（２−１−３）ユーザーの視線が最初に排出部４の方向を向いたまま変化しない場合
ユーザーが排出部４に排出された画像形成済みの記録紙を回収しにきただけであり、ユーザーの視線が排出部４の方向を向いたまま変化しない場合、制御部１０は、注視点が領域ｂに集中した後１秒以内に領域ｃに集中しなかったと判定し（ステップＳ２０５にてＮＯ）、省電力モードからの復帰処理を実行せず、画像形成装置１の状態を省電力モードのまま維持する。
（２−２）排出部４に記録紙が存在しない場合
以下、ユーザーは排出された記録紙を回収しにきたが、排出部４の排出トレイには画像形成済みの記録紙が存在しない。図６を参照して、排出部４の排出トレイには、画像形成済みの記録紙が存在しない。制御部１０は、第３の検出部５０によって排出部４に記録紙が存在しないことが検出されたと判定し（ステップＳ２０２にてＮＯ）、省電力モードからの復帰処理を実行するとともに、表示部４７３に、ジョブ履歴画面を表示するか否かを選択させるためのポップアップ画面を表示させる（ステップＳ３０１）。
【００３８】
図９は、ポップアップ画面１０３の一例を示す図である。図９を参照して、ポップアップ画面１０３は、ジョブ履歴画面を表示するか否かを選択するための画面である。ポップアップ画面１０３は、ジョブ履歴画面を表示するか否かをユーザーに対して確認するメッセージと、ジョブ履歴画面の表示の有無を入力するための複数のソフトキーとを含む。例えば、ポップアップ画面１０３は、「印刷物が取り間違いされた可能性があります。ジョブ履歴情報を表示しますか。」というメッセージを含むポップアップウィンドウ１０４を含む。ポップアップ画面１０３はさらに、ソフトキーとして、ジョブ履歴画面を表示することを指示するためのキーＫ３１と、ジョブ履歴画面を表示しないことを指示するためのキーＫ３２とを含む。
【００３９】
ポップアップ画面１０３を確認したユーザーがジョブ履歴画面の表示を所望してキーＫ３１を押下すると、制御部１０は、ジョブ履歴画面を表示することが選択されたと判定し（ステップＳ３０２にてＹＥＳ）、表示部４７３に、ジョブ履歴画面を表示させる（ステップＳ３０３）。
【００４０】
図１０は、ジョブ履歴画面１０５の一例を示す図である。図１０を参照して、ジョブ履歴画面１０５は、実行されたジョブの状況を確認するための画面である。ジョブ履歴画面１０５には、予め定められた期間（本実施の形態では１日）に実行されたジョブの履歴情報の一覧が、最新の情報から１０件ずつスクロールバーに対する操作により切替え可能に表示される。履歴情報は、ジョブの実行者を特定するための「ユーザー名」、コピー処理又は印刷処理等の実行されたジョブの種類を示す「ジョブ種別」、ジョブの完了時刻を示す「完了時刻」、並びに、ジョブが完了しているか又は中断したか等のジョブの実行状況を示す「状況」等の情報を含む。
【００４１】
一方、ポップアップ画面１０３を確認したユーザーがジョブ履歴画面の表示を所望せずキーＫ３２を押下すると、制御部１０は、ジョブ履歴画面を表示しないことが選択されたと判定し（ステップＳ３０２にてＮＯ）、表示部４７３に、ホーム画面１０１を表示させる（ステップＳ３０４）。
（３）ユーザーの視線が最初に画像読取部５の方向を向いた場合
ユーザーの視線が最初に画像読取部５に備えられる原稿搬送部６の方向を向いた場合、制御部１０は、注視点が領域ｂに集中せず（ステップＳ２０１にてＮＯ）、領域ｃに集中したと判定し（ステップＳ２０７にてＹＥＳ）、省電力モードからの復帰処理を実行するとともに、表示部４７３にコピー画面１０２を表示させる（ステップＳ２０６）。
（４）ユーザーの視線が検出されない場合
第１の検出部４８によって画像形成装置１の正面に近づいた人が検出されたにもかかわらず、第２の検出部４９の起動後１秒以内に第２の検出部４９によって視線が検出されない場合、制御部１０は、第２の検出部４９によって視線が検出されなかったと判定する（ステップＳ１０２にてＮＯ）。
（４−１）排出部４に記録紙が存在しない場合
排出部４の排出トレイに画像形成済みの記録紙が存在しない場合、制御部１０は、第３の検出部５０によって排出部４に記録紙が存在しないことが検出されたと判定し（ステップＳ１０８にてＮＯ）、省電力モードからの復帰処理を実行するとともに、表示部４７３に、ポップアップ画面１０３を表示させる（ステップＳ３０１）。
【００４２】
ユーザーがジョブ履歴画面の表示を所望してキーＫ３１を押下すると、制御部１０は、ジョブ履歴画面を表示することが選択されたと判定し（ステップＳ３０２にてＹＥＳ）、表示部４７３に、ジョブ履歴画面１０５を表示させる（ステップＳ３０３）。
【００４３】
一方、ユーザーがジョブ履歴画面の表示を所望せずキーＫ３２を押下すると、制御部１０は、ジョブ履歴画面を表示しないことが選択されたと判定し（ステップＳ３０２にてＮＯ）、表示部４７３に、ホーム画面１０１を表示させる（ステップＳ３０４）。
（４−２）排出部４に記録紙が存在する場合
排出部４の排出トレイに画像形成済みの記録紙が存在する場合、制御部１０は、第３の検出部５０によって排出部４に記録紙が存在することが検出されたと判定し（ステップＳ１０８にてＹＥＳ）、省電力モードからの復帰処理を実行せず、画像形成装置１の状態を省電力モードのまま維持する。
（５）ユーザーの視線が定まらない場合
例えば、ユーザーが画像形成装置１の使用を意図しておらずユーザーの視線が定まらない場合、制御部１０は、注視点が領域ｃに集中しなかったと判定し（ステップＳ２０７にてＮＯ）、省電力モードからの復帰処理を実行せず、画像形成装置１の状態を省電力モードのまま維持する。これによって、画像形成装置１を省電力状態から無駄に復帰させてしまうことを防ぐことができる。
【００４４】
上記実施の形態によれば、画像形成装置１は、予め定められた条件を満たした場合に消費電力の少ない省電力状態から復帰する装置であって、記録紙に画像を形成する画像形成部１２と、画像形成装置１から予め定められた範囲内に存在する人を検出する第１の検出部４８と、第１の検出部４８によって検出された人の視線を検出する第２の検出部４９と、表示部４７３と、制御部１０と、を備える。画像形成装置１が省電力状態である場合に、制御部１０は、第１の検出部４８によって人が検出された場合であって、第２の検出部４９によって、予め定められた方向を向く人の視線が検出された場合に、画像形成装置１を省電力状態から復帰させるとともに、表示部４７３に、第２の検出部４９によって検出された人の視線の方向に応じた予め定められた画面を表示させる。
【００４５】
このように、第１の検出部４８によって人が検出された場合であって、第２の検出部４９によって予め定められた方向を向く人の視線が検出された場合、すなわち、検出された視線の方向に基づいて画像形成装置１の使用が予定されていることが予期できる場合に、画像形成装置１を省電力状態から復帰させる。したがって、画像形成装置１の前を人が通過しただけである場合、又は、ユーザーが画像形成済みの記録紙を回収しにきただけの場合等の画像形成装置１の使用が予定されていない場合に、画像形成装置１を省電力状態から無駄に復帰させてしまうことを防ぐことができる。これによって、第１の検出部４８によって人が検出されたことのみに基づいて省電力状態から復帰させる場合と比較して、消費電力を低減させることができる。
【００４６】
また、第２の検出部４９によって検出された視線の方向に応じた予め定められた画面が表示される、すなわち、検出された視線の方向に基づいて使用が予定されていることが予期される機能に関する画面を表示させるので、ユーザーが、実行を所望する機能に関する画面を呼び出して表示させる場合と比較して、ユーザーの手間を省くことができ、ユーザーの作業効率をより一層向上させることができる。
【００４７】
また上記実施の形態によれば、画像形成装置１は、入力される指示を受け付ける操作部４７をさらに備える。画像形成装置１が省電力状態である場合に、制御部１０は、第１の検出部４８によって人が検出された場合であって、第２の検出部４９によって操作部４７の方向を向く人の視線が検出された場合に、画像形成装置１を省電力状態から復帰させるとともに、表示部４７３に、画像形成装置１により実行可能な複数の機能うちのいずれかを選択するためのホーム画面１０１を表示させる。
【００４８】
これによって、ユーザーは、ホーム画面１０１を表示させるための操作を行なうことなく、所望する機能を選択することができるようになるので、ユーザーの作業効率をさらに向上させることができる。
【００４９】
また上記実施の形態によれば、画像形成装置１は、原稿の画像を読取る画像読取部５をさらに備える。画像形成装置１が省電力状態である場合に、制御部１０は、第１の検出部４８によって人が検出された場合であって、第２の検出部４９によって画像読取部５の方向を向く人の視線が検出された場合に、画像形成装置１を省電力状態から復帰させるとともに、表示部４７３に、画像読取部５による原稿の画像を読取る処理に関する設定を行なうためのコピー画面１０２を表示させる。
【００５０】
これによって、コピー機能の利用を所望するユーザーは、コピー画面１０２を表示させるための操作を行なうことなくコピー機能を利用することができるようになるので、ユーザーの作業効率をさらに向上させることができる。
【００５１】
また上記実施の形態によれば、画像形成装置１は、画像が形成された記録紙が排紙される排紙部４をさらに備える。画像形成装置１が省電力状態である場合に、制御部１０は、第１の検出部４８によって人が検出された場合であって、第２の検出部４９によって排紙部４の方向を向く人の視線が検出された場合に、画像形成装置１の状態を省電力状態のまま維持する。
【００５２】
これによって、ユーザーが画像形成済みの記録紙を回収しにきただけの可能性が高い場合に、画像形成装置１を省電力状態から無駄に復帰させてしまうことを防ぐことができる。したがって、第１の検出部４８によって人が検出されたことのみに基づいて省電力状態から復帰させる場合と比較して、消費電力を低減させることができる。
【００５３】
また上記実施の形態によれば、画像形成装置１は、排紙部４に記録紙が存在するか否かを検出する第３の検出部５０をさらに備える。画像形成装置１が省電力状態である場合に、制御部１０は、第１の検出部４８によって人が検出された場合であって、第２の検出部４９によって、排紙部４の方向を向く人の視線が検出され、かつ、第３の検出部５０によって排紙部４に記録紙が存在しないことが検出された場合に、画像形成装置１を省電力状態から復帰させるとともに、表示部４７３に、画像形成装置１において実行された処理の状況を確認するためのジョブ履歴画面１０５を表示させる。
【００５４】
このように、ユーザーが画像形成済みの記録紙を回収しにきた可能性が高いにもかかわらず排紙部４に記録紙が存在しない場合には、他のユーザーが誤って印刷物を回収してしまった可能性が高い。このような場合に、ジョブ履歴画面１０５を表示させるので、ユーザーは、印刷物の取り間違いが発生した可能性の高いジョブを容易に特定することができる。したがって、ユーザーの利便性をより一層向上させることができる。
【００５５】
上記実施の形態によれば、画像形成装置１が省電力状態である場合に、制御部１０は、第１の検出部４８によって人が検出された場合であって、第２の検出部４９によって人の視線が検出されず、かつ、第３の検出部５０によって排紙部４に記録紙が存在しないことが検出された場合に、画像形成装置１を省電力状態から復帰させるとともに、表示部４７３に、画像形成装置１において実行された処理の状況を確認するためのジョブ履歴画面１０５を表示させる。
【００５６】
このように、第１の検出部４８によって、画像形成装置１から予め定められた範囲内に存在する人が検出されたにもかかわらず、第２の検出部４９によって人の視線が検出されない場合には、ユーザーが屈む等して姿勢を低くした状態で排紙部４を覗き込んで印刷物を探している可能性がある。このような場合に、ジョブ履歴画面１０５を表示させるので、ユーザーは、印刷物の取り間違いが発生した可能性の高いジョブを容易に特定することができる。したがって、ユーザーの利便性をより一層向上させることができる。
【００５７】
なお、上記実施の形態においては、第２の検出部４９によって、画像読取部５の方向を向く人の視線が検出された場合に、表示部４７３にコピー画面１０２を表示させたが、本発明はそのような実施の形態に限定されず、例えば、送信画面１０７を表示させてもよい。
【００５８】
図１１は、送信画面１０７の一例を示す図である。図１１を参照して、送信画面１０７は、スキャナー機能の各種設定を行なうための画面である。送信画面１０７は、画像読取部５による原稿の画像を読取る処理（ここではスキャナー機能を実行するための処理）に関する各種設定を入力するための複数のソフトキーを含む。例えば、送信画面１０７は、ソフトキーとして、表示部４７３に送信イメージを表示させるためのキーＫ２１、宛先をワンタッチで選択するためのキーＫ２２、アドレス帳を呼び出すためのキーＫ２３、アドレス帳に登録されていない任意の宛先を入力するためのキーＫ２４、アドレス帳に登録されていない共有フォルダを新規に作成するためのキーＫ２５等を含む。ユーザーが上記した複数のソフトキーのうちのいずれかを押下すると、制御部１０は、選択されたキーに対応付けられた設定を行なうための画面等を表示する。
【００５９】
なお、上記実施の形態において、ユーザーは、ホーム画面１０１を介して１つの機能の選択しかできなかったが、本発明はそのような実施の形態に限定されず、ユーザーは、ホーム画面を介して画像形成装置１により実行可能な複数の機能のうちの少なくともいずれか１つを選択可能であればよい。例えば、ユーザーは、ホーム画面に表示される２つのソフトキーを同時に入力することで、２つの機能の選択を入力できる構成であってもよい。
【００６０】
また上記実施の形態によれば、省電力モードからの復帰処理を実現するための装置状態移行プログラムはＨＤＤ９２に記憶されていたが、本発明はそのような実施の形態に限定されない。例えば、装置状態移行プログラムは、コンピューター読み取り可能な非一時的な記録媒体（例えば、ハードディスク、ＣＤ−ＲＯＭ、ＤＶＤ−ＲＯＭ、半導体メモリー等）に記録されていてもよい。非一時的な記録媒体に記憶された装置状態移行プログラムは、光ディスクドライブ等の読取装置によって読み取られ、ＨＤＤ９２に転送されてもよいし、ネットワーク回線を通じて画像形成装置１に送信されＨＤＤ９２に記憶されてもよい。また、非一時的な記録媒体から、又は、ネットワーク回線を介して、直接に制御部１０のＲＡＭにロードされてもよい。
【００６１】
なお、本発明は上記実施の形態の構成に限られず種々の変形が可能である。例えば、上記実施の形態では、本発明に係る画像形成装置の一実施形態としてカラー複合機を用いて説明しているが、これは一例に過ぎず、モノクロ複合機や他の電子機器、例えば、プリンター、コピー機、ファクシミリ装置等の他の画像形成装置でもよい。
【００６２】
また、上記実施形態では、図１乃至図１１を用いて上記実施形態により示した構成及び処理は、本発明の一実施形態に過ぎず、本発明を当該構成及び処理に限定する趣旨ではない。
【符号の説明】
【００６３】
１      画像形成装置
４      排紙部
５      画像読取部
１０    制御部
１２    画像形成部
４７    操作部
４８    第１の検出部
４９    第２の検出部
５０    第３の検出部
４７３  表示部
【図１】
2019208184.tif 000003
【図２】
2019208184.tif 000004
【図３】
2019208184.tif 000005
【図４】
2019208184.tif 000006
【図５】
2019208184.tif 000007
【図６】
2019208184.tif 000008
【図７】
2019208184.tif 000009
【図８】
2019208184.tif 000010
【図９】
2019208184.tif 000011
【図１０】
2019208184.tif 000012
【図１１】
2019208184.tif 000013